(57)【要約】【課題】電子番組表の一覧性を向上させることで、煩雑な操作を必要とすることなく電子番組表から目的の番組を容易に探すことができるようにする。【解決手段】電子番組表画面１０１は、１つのチャンネルのみの一定時間分の番組情報（番組名）を一覧にして表示するものであり、１つのチャンネルについて番組情報を表示できる全ての表示領域を使用して従来より長時間の番組名を表示させるようにしたものである。この電子番組表は、複数チャンネルの番組情報を並べて表示する従来の電子番組表の表示から切換可能であり、時間帯別に番組情報を配置した複数の列を表示する。図示する例では、３列分の番組枠を用いて１つのチャンネルの番組名を表示している。これにより例えば従来１つのチャンネルにつき５時間分の表示しかできなかったものが、連続した１５時間分の番組名を表示することができるようになる。【選択図】図３
2009077014.tif 000002
【特許請求の範囲】
【請求項１】
デジタル放送信号に含まれる番組情報を用いて電子番組表を生成する番組表生成部と、該番組表生成部が生成した電子番組表を表示する表示部と、を備えた番組表表示装置において、
前記番組表生成部は、所定の操作入力に従って、番組情報を一覧で表示できる全ての表示領域を使用して１つのチャンネルのみの一定時間の番組情報を一覧に表示する電子番組表を生成することを特徴とする番組表表示装置。
【請求項２】
請求項１に記載の番組表表示装置において、前記１つのチャンネルのみの番組情報を一覧に表示した電子番組表は、時間帯別に番組情報を配置した複数の列を表示するものであり、該複数の列に表示される時間帯は、連続した時間帯を複数列に分割して表示したものであることを特徴とする番組表表示装置。
【請求項３】
請求項１または２に記載の番組表表示装置において、前記番組表生成部は、複数チャンネルの番組情報を同時に表示する電子番組表を生成し、該複数チャンネルの番組情報を同時に表示する電子番組表を前記表示部で表示しているときに前記所定の操作入力が行われた場合に、前記１つのチャンネルのみの番組情報を一覧にした電子番組表を生成することを特徴とする番組表表示装置。
【請求項４】
請求項３に記載の番組表表示装置において、前記番組表生成部は、前記１つのチャンネルのみの番組情報を表示する電子番組表を生成する際に、前記複数チャネルの番組情報を同時に表示する電子番組表の表示画面においてカーソルが存在する番組情報のチャンネルについて前記電子番組表を生成することを特徴とする番組表表示装置。
【請求項５】
請求項１〜４のいずれか１に記載の番組表表示装置において、前記番組表生成部は、前記一定時間の開始点を、前記所定の操作入力が行われた時刻とすることを特徴とする番組表表示装置。
【請求項６】
請求項１〜４のいずれか１に記載の番組表表示装置において、前記番組表生成部は、前記一定時間の開始点を、前記カーソルが存在する番組情報の放送開始時刻とすることを特徴とする番組表示装置。
【請求項７】
請求項２に記載の番組表表示装置において、前記番組表生成部は、前記電子番組表とともに前記表示部に表示されたカーソルが前記複数の列の配列方向の端部の領域にあって、さらに該複数の列の配列方向に画面外側に向かってカーソルを移動させる操作が行われたときに、現在表示している時間帯に続く新たな時間帯の番組情報の列を順次スクロールした前記電子番組表を生成することを特徴とする番組表表示装置。
【請求項８】
請求項２に記載の番組表表示装置において、前記番組表生成部は、前記電子番組表とともに前記表示部に表示されたカーソルが前記複数列のいずれかの前記時間軸方向の端部の領域にあって、さらに前記時間軸方向に画面外側に向かってカーソルを移動させる操作が行われたときに、現在カーソルがある番組情報に対して時間帯が連続する番組情報を順次スクロールした前記電子番組表であって、かつ各列の時間帯が連続した時間帯を複数列に分割して表示したものとなるように各列の表示を変化させた前記電子番組表を生成することを特徴とする番組表表示装置。
【請求項９】
請求項２に記載の番組表表示装置において、前記番組表生成部は、チャンネル番号の表示領域を前記電子番組表に設定し、前記電子番組表とともに前記表示部に表示されたカーソルが前記チャンネル番号の表示領域にあって、さらにカーソルを右または左に移動させる操作が行われたときに、チャンネルを順次変更し、該変更したチャンネルについて一定時間の番組情報を一覧に表示する電子番組表を生成することを特徴とする番組表表示装置。
【請求項１０】
請求項１〜９のいずれか１に記載の番組表表示装置を備えたデジタル放送受信装置。
【発明の詳細な説明】
【技術分野】
【０００１】
本発明は、番組表表示装置及びデジタル放送受信装置に関し、より詳細には、デジタル放送信号から取得した番組情報を用いて作成した電子番組表を表示するための番組表表示装置、及び該装置を備えたデジタル放送受信装置に関する。
【背景技術】
【０００２】
デジタル放送受信装置では、放送信号から取得した番組情報を基に電子番組表（ＥＰＧ：Electronic Program Guide)を作成している。従来の電子番組表では、縦軸を時間軸とし、横軸をチャンネル番号軸とした形式で番組名を表示している。またこれとは逆に縦軸にチャンネル番号軸、横軸に時間軸を配置した形式のものや、縦軸と横軸とを切り換え可能としたものある。
【０００３】
電子番組表では、各番組の放送時間に対応した番組枠が表示され、各番組枠内に番組名が表示される。またカーソルで選んだ番組について詳細な番組情報を表示させることができる。このような電子番組表を利用して、ユーザは、番組を探したり、録画予約を行ったり、番組情報を確認したりすることができる。
【０００４】
例えば特許文献１には、縦軸および横軸の一方をチャンネル番号軸とし、他方を時間軸とする番組表であって、時間軸方向が所定時間単位で区切られていて、かつ各区切り枠に文字を表示せず、各区切り枠に該当する番組のジャンルを識別するための色が塗られた番組表を表示させるようにしたデジタル放送受信機が開示されている。
【特許文献１】特開２００１−１９７３９０号公報
【発明の開示】
【発明が解決しようとする課題】
【０００５】
デジタル放送受信装置の表示画面に電子番組表を表示させる場合、その番組表表示部には、１チャンネル当たり５時間分程度の番組名しか表示することができない。ユーザがその先の番組の情報を見たい場合には、表示されている電子番組表をスクロールさせたり、ページ送りを行ったりする必要がある。
特に最近では、映画専門チャンネルなどの特定チャンネルを契約しているユーザが、そのチャンネルで放送される番組名を一覧で見たい、などの要求もある。この場合にも、やはり電子番組表をスクロールさせる操作などが必要となり、ユーザにとっては操作が煩わしいという問題があった。
【０００６】
また上記特許文献１のデジタル放送受信機では、番組表を一覧表示した状態では、番組名が表示されず、色分けされたジャンルで番組の情報を判別するしかなく、ユーザが番組名を知るためにはカーソルを移動させて番組名を表示させる必要があり、一覧性や操作性が良くないという問題がある。
【０００７】
本発明は、上述のごとき実情に鑑みてなされたもので、電子番組表の一覧性を向上させることで、煩雑な操作を必要とすることなく電子番組表から目的の番組を容易に探すことができるようにした番組表表示装置と、その番組表表示装置を備えたデジタル放送受信機とを提供することを目的とする。
【課題を解決するための手段】
【０００８】
上記課題を解決するために、本発明の第１の技術手段は、デジタル放送信号に含まれる番組情報を用いて電子番組表を生成する番組表生成部と、番組表生成部が生成した電子番組表を表示する表示部と、を備えた番組表表示装置において、番組表生成部は、所定の操作入力に従って、番組情報を一覧で表示できる全ての表示領域を使用して１つのチャンネルのみの一定時間の番組情報を一覧に表示する電子番組表を生成することを特徴としたものである。
【０００９】
第２の技術手段は、第１の技術手段において、１つのチャンネルのみの番組情報を一覧に表示した電子番組表が、時間帯別に番組情報を配置した複数の列を表示するものであり、該複数の列に表示される時間帯は、連続した時間帯を複数列に分割して表示したものであることを特徴としたものである。
【００１０】
第３の技術手段は、第１または第２の技術手段において、番組表生成部が、複数チャンネルの番組情報を同時に表示する電子番組表を生成し、複数チャンネルの番組情報を同時に表示する電子番組表を表示部で表示しているときに所定の操作入力が行われた場合に、１つのチャンネルのみの番組情報を一覧にした電子番組表を生成することを特徴としたものである。
【００１１】
第４の技術手段は、第３の技術手段において、番組表生成部が、１つのチャンネルのみの番組情報を表示する電子番組表を生成する際に、複数チャネルの番組情報を同時に表示する電子番組表の表示画面においてカーソルが存在する番組情報のチャンネルについて電子番組表を生成することを特徴としたものである。
【００１２】
第５の技術手段は、第１〜第４のいずれか１の技術手段において、番組表生成部が、一定時間の開始点を、所定の操作入力が行われた時刻とすることを特徴としたものである。
【００１３】
第６の技術手段は、第１〜第４のいずれか１の技術手段において、番組表生成部が、一定時間の開始点を、カーソルが存在する番組情報の放送開始時刻とすることを特徴としたものである。
【００１４】
第７の技術手段は、第２の技術手段において、番組表生成部が、電子番組表とともに表示部に表示されたカーソルが複数の列の配列方向の端部の領域にあって、さらに複数の列の配列方向に画面外側に向かってカーソルを移動させる操作が行われたときに、現在表示している時間帯に続く新たな時間帯の番組情報の列を順次スクロールした電子番組表を生成することを特徴としたものである。
【００１５】
第８の技術手段は、第２の技術手段において、番組表生成部が、電子番組表とともに表示部に表示されたカーソルが複数列のいずれかの時間軸方向の端部の領域にあって、さらに時間軸方向に画面外側に向かってカーソルを移動させる操作が行われたときに、現在カーソルがある番組情報に対して時間軸帯が連続する番組情報を順次スクロールした電子番組表であって、かつ各列の時間帯が連続した時間軸帯を複数列に分割して表示したものとなるように各列の表示を変化させた電子番組表を生成することを特徴としたものである。
【００１６】
第９の技術手段は、第２の技術手段において、番組表生成部が、チャンネル番号の表示領域を電子番組表に設定し、電子番組表とともに表示部に表示されたカーソルがチャンネル番号の表示領域にあって、さらにカーソルを右または左に移動させる操作が行われたときに、チャンネルを順次変更し、変更したチャンネルについて一定時間の番組情報を一覧に表示する電子番組表を生成することを特徴としたものである。
【００１７】
第１０の技術手段は、第１〜第９のいずれかの技術手段を備えたデジタル放送受信装置である。
【発明の効果】
【００１８】
本発明によれば、電子番組表の一覧性を向上させることで、煩雑な操作を必要とすることなく電子番組表から目的の番組を容易に探すことができるようにした番組表表示装置と、その番組表表示装置を備えたデジタル放送受信機とを提供することができる。
【発明を実施するための最良の形態】
【００１９】
図１は、本発明による番組表表示装置を備えたデジタル放送受信機の一実施形態を示すブロック図である。
フロントエンド１には、アンテナよって受信された放送衛星（ＢＳ）や通信衛星（ＣＳ）から送信されるデジタル放送信号、及び地上波デジタル放送信号が入力される。
フロントエンド１は、チューナ部、復調回路部、誤り訂正部等を有している。ここでは１つのチューナ部によってＢＳ／ＣＳ放送信号と地上波デジタル放送信号との選局が可能になっている。チューナ部は、ユーザの選局指示に従って、所定のデジタル放送ネットワークの放送チャンネルに関するデジタル放送信号を選局受信し、復調回路部に供給する。復調回路部は、チューナ部で選局受信したデジタル放送信号をデジタル復調する。誤り訂正部は、デジタル復調されたデジタル放送信号の誤りに関する修復や訂正を施し、トランスポートストリームデータとして再生する。
【００２０】
デマルチプレクサ２は、デジタル放送信号のトランスポートストリームデータから、放送映像信号，放送音声信号と、データ信号とを分離する。
そして、デマルチプレクサ２で分離された放送映像信号及び放送音声信号は、映像・音声デコード部３に供給される。また、デマルチプレクサ２で分離されたデータ信号は、制御部１０に供給され、メモリ部１１のＲＯＭ等に保持されたシステムソフトウェアに基づいて処理される。
【００２１】
映像・音声デコード部３は、デマルチプレクサ２で分離された放送映像信号及び放送音声信号それぞれのデータをデコードし、映像信号を画面合成部７に出力し、音声信号を音声出力部４に出力する。音声出力部４は、デコードされた放送音声信号をスピーカから出力させる。
【００２２】
番組情報デコード部５は、受信した放送チャンネルのデジタル放送信号や地上波デジタル放送信号のトランスポートストリームデータにデータ信号として含まれている番組情報（ＳＩ：Service Information）を取得してデコードする。デコードされた番組情報は、メモリ部１１に一旦蓄えられる。番組表データ生成部６は、デコードされた番組情報を使用して電子番組表（ＥＰＧ：Electronic Program Guide)を生成し、画面合成部７に出力する。番組表データ生成部６は、デジタル放送信号に含まれる番組情報を用いて電子番組表を生成する本発明に番組表生成部に該当する。画面合成部７では、映像・音声デコード部３から出力された放送映像信号と、番組表データ生成部６から出力された電子番組表とを合成し、表示部８に出力する。表示部８は、液晶パネルなどの表示画面により画面合成部７から出力された映像信号を表示する。
【００２３】
制御部１０は、フロントエンド１，デマルチプレクサ２，映像・音声デコード部３，番組情報デコード部５，番組表データ生成部６，及び画面合成部７のそれぞれと、メモリ部１１に接続され、これら各要素を制御する。メモリ部１１は、ＲＯＭ，ＲＡＭ，不揮発性補助記憶装置などから構成される。
【００２４】
またリモコン受光部９は、ユーザのリモコン操作によって図示しないリモコンから送信されたコントロール信号を受光して制御部１０に渡す。制御部１０は、リモコンからのコントロール信号に基づき、メモリ部１１に記憶されたシステムソフトウェアによってその処理を管理・制御し、デジタル放送受信機の各部の制御を行う。
【００２５】
図２は、本発明による電子番組表表示装置で表示する電子番組表の表示例を示す図で、従来使用されている電子番組表と同様のものである。図２の電子番組表画面１００は、デジタル放送受信機に付属するリモコンの所定のボタン（例えば「番組表」ボタン）を押すことにより表示させることができる。
【００２６】
電子番組表画面１００は、番組表を表示する番組表表示部１１０と、詳細な番組情報を表示する番組情報表示部１２０が設定されている。
番組表表示部１１０には、縦軸を時間軸とし、横軸をチャンネル番号軸としてこれらに対応した番組枠が表示される。番組表表示部１１０では、横軸方向に各チャンネル番号を表示するチャンネル番号表示領域１１３が設定される。また縦軸方向には、時間軸を表示する時間軸表示領域１１１が設定され、さらにチャンネルごとに番組情報を表示する番組枠表示領域１１２が設定される。各番組枠内には、番組情報の１つである番組名が表示される。各チャンネルにおいては、連続した時間帯ごとに番組枠が設定されて番組情報が配置されている。
【００２７】
また番組情報表示部１２０には、番組表表示部１１０においてカーソル１１４で選択された番組の詳細な番組情報が表示される。この例ではカーソル１１４は、チャンネル「０２１」で２２時から放送される「英会話」の番組枠に置かれている。番組情報表示部１２０に表示される番組情報としては、チャンネル番号、リモコンのチャンネルボタン番号、チャンネルのロゴマーク、放送時間（放送開始時刻と放送終了時刻）、番組名、現在時刻などがある。
【００２８】
図２の電子番組表画面１００では、複数のチャンネルについて番組名が表示される。このとき本例では、各チャンネルについて番組名を表示できる時間は５時間分である。この電子番組表画面１００では、従来と同様に、スクロール操作やページ送り操作を行えば、表示されていない時間帯やチャンネルの番組の情報を見ることができる。
【００２９】
本発明に係る実施形態では、図２の状態の電子番組表画面１００の表示状態において、リモコンに備えられた「番組表表示切換ボタン」をさらにユーザが操作することによって、図３に示すような電子番組表示を表示させることができる。「番組表表示切換ボタン」は、電子番組表の表示を切り換えるためのボタンであって、これをユーザが押すことにより、図２に示すような複数チャンネルによる電子番組表と、図３に示すような単一のチャネルの電子番組表とを交互にトグルで切り換えることができる。つまり図２に示す電子番組表画面１００が表示されている状態で「番組表表示切換ボタン」を操作することで、図３に示す電子番組表画面１０１に切り換えることができ、また図３の電子番組表画面１０１が表示されている状態で「番組表表示切換ボタン」を操作することで、図２に示す電子番組表画面１００に切り換えることができる。この「番組表表示切換ボタン」は、電子番組表の表示切り換えを行わせる機能を特定のキーに割り当てたものであればよく、その名称等が限定されるものではない。またリモコンのみならず、デジタル放送受信機の本体の操作ボタンとして設けたものであってもよい。
【００３０】
図３の電子番組表画面１０１は、１つのチャンネルのみの一定時間分の番組情報（この場合は番組名）を一覧にして表示するものであり、１つのチャンネルについて番組情報を一覧で表示できる全ての表示領域を使用して従来より長時間の番組名を表示させるようにしたものである。この電子番組表は、時間帯別に番組情報を配置した複数の列を表示するものであり、これら複数の列に表示される時間帯は、連続した時間帯を複数列に分割して表示したものとなっている。
【００３１】
図３の例では、３列分の番組枠を用いて１つのチャンネルの番組を表示している。これにより１つのチャンネルにつき５時間分の表示しかできなかったものが、連続した１５時間分の時間帯の番組名を表示することができるようになっている。従ってチャンネル番号表示領域１１３には、１つのチャンネル番号のみが表示されている。
なお上記の複数の列は、画面の縦方向に設定されているが、画面の横方向に時間軸をとって横方向に各列を設定したものであってもよい。  
【００３２】
番組表表示部１１０の各列には、縦軸方向に時間軸を表示する時間軸表示領域１１１と、番組情報を表示する番組枠表示領域１１２とが設定される。各列の時間軸表示領域１１１に表示された時間帯は、連続した時間帯を複数列に分割して表示したものとなっている。ここでは１８時から翌朝９時まで（８〜９時の時間帯まで）の時間帯が３つの列で表現されている。
各列の各番組枠内には、番組情報の１つである番組名が表示される。また番組情報表示部１２０には、カーソル１１４で選択された番組の詳細な番組情報が表示される。
【００３３】
またこの例では説明のために、番組表表示部１１０は３列分の番組表示を行うものとしているが、図２の番組表表示部で表示できるチャンネル数に応じて、さらに長時間分の番組表示も可能となる。ここで時間軸に沿った番組枠の列数は適宜任意に定めることができ、また各番組枠の大きさや番組枠内の文字の大きさなどは任意に変更が可能である。本実施形態では、番組表表示部１１０の全体を使用して、１つのチャンネルの番組の情報を長時間分表示させることが特徴である。
【００３４】
図３の番組表表示部１１０で番組情報を表示するチャネルは、図２に示す電子番組表画面１００でカーソル１１４が置かれていたチャンネルとなる。
また本例では、番組表表示部１１０の時間軸表示領域１１１に表示させる時間帯は、現在時刻、つまり電子番組表を表示される操作入力時を起点とする。これにより現在時刻から１５時間後までの番組名を一覧にして表示させることができる。番組表表示部１１０に表示されていない時間帯の番組の情報を見るためにスクロール操作やページ送り操作を行ってもよい。
また時間軸表示領域１１１に表示させる時間帯の起点を現在時刻ではなく、現在時刻が含まれる時間帯の起点としてもよい。
【００３５】
図２に示すような複数チャンネルの電子番組表から図３に示すような１つのチャンネルの電子番組表に表示を切り換えるときに、番組表データ生成部６では、メモリ部１１に記憶されている時間情報、チャンネル情報、及び番組内容などの番組情報を使用して、新たな電子番組表をその都度生成し、表示部８に表示させる処理を行う。
また同様に図３に示す電子番組表から図２に示す電子番組表に切り換える場合にも、番組表データ生成部６が番組情報を使用して電子番組表を生成する。
【００３６】
なお図３のような１つのチャンネルの番組情報を表示する電子番組表画面１０１は、図２の複数チャンネルを表示する電子番組表画面１００を経ることなく、リモコン等の所定のキー操作を行うことで直接表示させるようにしてもよい。このときに表示するチャンネルは、現在視聴中のチャンネルとしてもよく、あるいは予め設定しておいたチャンネルとしてもよい。そしてチャンネル切り換えは、リモコンの選局切り換えボタンやチャンネルボタンなどを操作することで実行できるようにする。また電子番組表を最初に表示させるときに、図２の電子番組表画面１００と図３の電子番組表画面１０１とを任意に選択可能としてもよい。
このような構成で電子番組表を表示させることにより、電子番組表の一覧性を向上させることができ、ユーザは煩雑な操作を必要とすることなく電子番組表から目的の番組を容易に探すことができるようになる。
【００３７】
図４は、電子番組表の表示画面の他の例を示す図である。図３の電子番組表画面１０１では、現在時刻を含む時間帯を起点として電子番組表を表示していたが、本例では、図２の電子番組表画面１００でカーソル１１４が置かれている番組枠の放送開始時刻を起点として表示を行う。
例えば図２の例では、カーソル１１４は、チャンネル「０２１」で２２時から放送される「英会話」の番組枠にある。この状態で「番組表表示切換ボタン」を押すと、図４に示すように、チャンネル「０２１」について、時間軸表示領域１１１に表示する時間帯の起点を２２時とした電子番組表が生成されて表示される。これによりカーソル位置の時間帯を起点とした一覧性の高い番組の情報表示を行うことができるようになる。
電子番組表画面１０２のその他の表示形態や表示切換機能は、図３の電子番組表画面１０１と同様であるため、繰り返しの説明は省略する。  
【００３８】
また複数チャンネルの番組情報を表示する電子番組表画面において、図３に示すような現在時刻を起点とする電子番組表画面と、図４に示すようなカーソルが置かれている番組枠の放送開始時刻を起点とする電子番組表画面とのいずれかを任意に選択できるようにしてもよい。例えばこれらのいずれかを選択可能なメニューを用意し、ユーザ操作に従っていずれかの電子番組表画面を表示させるようにすることができる。
【００３９】
図５は、電子番組表画面におけるカーソル移動時の表示制御の一例を説明するための図である。本例のカーソル移動時の表示制御は、図３の例の電子番組表画面１０１と、図４の例の電子番組表画面１０２のいずれにも適用できる。
図５（Ａ）は、上記図３に示す電子番組表画面１０１，もしくは図４に示す電子番組表画面１０２であるものとする。ここでカーソル１１４は、番組表表示部１１０の左上の番組枠にあるものとする。
【００４０】
図５（Ｂ）は、ユーザがリモコンの右カーソルキーを操作してカーソルを移動させ、番組表表示部１１０の右上の番組枠の位置まで移動させた状態を示している。
そしてさらにユーザがリモコンの右カーソルキーによって、カーソルを右方向に移動させる操作を行うと、図５（Ｃ）に示すように、番組表表示部１１０の表示内容が左方向にスクロールする。ここで新たな時間帯を持った番組情報の列が現れる。
【００４１】
新たな時間帯は、図５（Ｂ）の状態で最も右に表示されていた列の時間帯に続くものである。この例では、図５（Ｂ）の状態で２２時から１３時（“１２時”の番組枠は、１２時〜１３時の時間帯の番組枠を表す）までの時間帯が表示されているが、図５（Ｃ）の状態では、新たな１３時〜１８時までの時間帯の表示が現れ、また３時〜８時までの時間帯の表示はなくなっている。つまり番組表表示部１１０に表示されている複数列に表示される時間帯は、常に連続した時間帯を複数列に分割して表示したものとなっている。
【００４２】
図５（Ｂ）に示すような電子番組表から図５（Ｃ）に示すような電子番組表に表示を切り換えるとき、番組表データ生成部６では、メモリ部１１に記憶されている時間情報、チャンネル情報、及び番組内容などの番組情報を使用して、新たな時間帯を持った電子番組表を生成し、表示部８に表示させる処理を行う。つまり番組表データ生成部６は、スクロール後の時間情報を使用して、電子番組表を再構成して表示させるようにしている。
【００４３】
上記の例ではカーソルを右方向に移動させているが、左方向に移動させたときも同様である。つまり図５（Ａ）の状態でさらにカーソルを左に移動させる操作を行うと、番組表表示部１１０の表示内容が左方向にスクロールする。このときにスクロールにより現れる新たな時間帯は、スクロール前に左端に表示されていた列の時間帯を時間軸方向に遡って連続するものである。
【００４４】
上記のように本例では、番組情報を表示するための複数の列の配列方向の端部の領域にカーソルあって、さらに複数の列の配列方向に画面外側に向かってカーソルを移動させる操作が行われたときに、現在表示している時間帯に続く新たな時間帯の番組情報の列を順次スクロールした電子番組表が生成されて表示される。これにより、ユーザにとって操作しやすくかつ容易に番組を探すことができる電子番組表を表示させることができる。
【００４５】
図６は、電子番組表画面におけるカーソル移動時の表示制御の他の例を説明するための図である。図６の例は、図５の例と同様な電子番組表画面１０１，１０２において、下カーソルキーを操作することによってカーソルを下方向に移動させるときの表示制御例を示すものである。
【００４６】
図６（Ａ）ではカーソル１１４は、番組表表示部１１０の左上の番組枠にあるものとする。そして図６（Ｂ）は、ユーザがリモコンの下カーソルキーを操作してカーソルを移動させ、番組表表示部１１０の左下の番組枠の位置まで移動させた状態を示している。
そしてさらにユーザがリモコンの下カーソルキーによって、カーソルを下方向に移動させる操作を行うと、図６（Ｃ）に示すように、時間軸１１１が上方向にスクロールし、それともに番組枠も上方向にスクロールする。この場合には、最下段に表示される時間帯は、その上段の時間帯に続く時間帯となる。そして図６（Ｂ）の左上（最初の列の最上段）の時間帯がなくなって、番組表表示部１１０の右下（最後の列の最下段）に新たな時間帯が追加されて現れた状態となる。
【００４７】
つまり図６（Ｂ）の状態では、３つの列で２２時から１３時までの時間帯が表示されているが、図６（Ｃ）の状態では、新たな１３時〜１４時（“１３時”の番組枠は、１３時〜１４時の時間帯の番組枠を表す）の時間帯の表示が現れ、また２２時〜２３時の時間帯の表示はなくなっている。
【００４８】
図６（Ｂ）に示すような電子番組表から図６（Ｃ）に示すような電子番組表に表示を切り換えるとき、番組表データ生成部６では、メモリ部１１に記憶されている時間情報、チャンネル情報、及び番組内容などの番組情報を使用して、新たな時間帯を持った電子番組表を生成し、表示部８に表示させる処理を行う。つまり番組表データ生成部６は、スクロール後の時間情報を使用して、電子番組表を再構成して表示させるようにしている。
【００４９】
この例ではカーソルを下方向に移動しているが、上方向に移動した場合にも同様である。つまり図６（Ａ）の状態でさらにカーソルを上に移動させる操作を行うと、番組表表示部１１０の表示内容が下方向にスクロールする。このときにスクロールにより上端の列に現れる新たな時間帯は、スクロール前に上端に表示されていた列の時間帯を時間軸方向に遡って連続するものである。
【００５０】
上記のように本例では、番組情報を表示するための複数の列のいずれかの時間軸方向の端部の領域にカーソルがあって、さらに時間軸方向に画面外側に向かってカーソルを移動させる操作が行われたときに、現在カーソルがある番組情報に対して時間帯が連続する番組情報を順次スクロールした電子番組表が作成されて表示され、かつ各列の時間帯が連続した時間帯を複数列に分割して表示したものとなるように各列の表示が変化する。これによりユーザにとって操作しやすくかつ容易に番組を探すことができる電子番組表を表示させることができる。
【００５１】
図７は、電子番組表画面におけるチャンネル変更時の表示制御の一例を説明するための図である。本例のチャンネル変更時の表示制御は、図３の例の電子番組表画面１０１と、図４の例の電子番組表画面１０２のいずれにも適用できる。
図７（Ａ）は、上記図３に示す電子番組表画面１０１，もしくは図４に示す電子番組表画面１０２であるものとする。ここでカーソル１１４は、番組表表示部１１０のチャンネル番号表示領域１１３にあるものとする。電子番組表画面１０１，１０２では１つのチャンネルにおける番組の情報が表示されるため、チャンネル番号表示領域１１３には１つのチャンネル番号のみが表示されている。
【００５２】
ユーザがリモコンの右カーソルキーによって、カーソルを右方向に移動させる操作を行うと、図７（Ｂ）に示すように、チャンネル番号表示領域１１３に表示されるチャンネル番号が変更される。さらに右カーソルキーでカーソルを右方向に移動させる操作を行うと、図７（Ｃ）に示すようにチャンネル番号がさらに変更される。
この場合、設定されたチャンネルの順序に従って、右方向のカーソル移動を行うことで次のチャンネルに変更される。そしてチャンネル番号の変更とともに、そのチャンネルに対応する番組の情報が番組表表示部１１０に表示される。
【００５３】
この場合にも、番組表データ生成部６では、チャンネル切り換えに応じてメモリ部１１に記憶されている時間情報、チャンネル情報、及び番組内容などの番組情報を使用して、新たな電子番組表を生成し、表示部８に表示させる処理を行う。
【００５４】
図８は、電子番組表画面におけるチャンネル変更時の表示制御の他の例を説明するための図である。図７は、チャンネル番号表示領域１１３においたカーソルを右方向に移動させたときのチャンネル変更制御例を示したが、図８では、カーソルを左方向に移動させたときのチャンネル変更制御例を示している。
ここでも同様に、ユーザがリモコンの左カーソルキーによって、カーソルを左方向に移動させる操作を行うと、図８（Ｂ）に示すように、チャンネル番号表示領域１１３に表示されるチャンネル番号が変更され、さらにカーソルを左方向に移動させる操作を行うと、図８（Ｃ）に示すようにチャンネル番号がさらに変更される。この場合、設定されたチャンネルの順序を逆方向に進むようにチャンネル番号が変更される。そしてチャンネル番号の変更とともに、そのチャンネルに対応する番組の情報が番組表表示部１１０に表示される。
【００５５】
上記のように本例では、チャンネル番号表示領域１１３にカーソルがあって、さらにカーソルを右または左に移動させる操作が行われたときにチャンネルを順次変更し、変更したチャンネルについて一定時間の番組情報を一覧に表示する電子番組表が生成されて表示される。これによりユーザにとって操作しやすくかつ容易に番組を探すことができる電子番組表を表示させることができる。
【００５６】
図９は、本発明の番組表表示装置における電子番組表の表示切り替え処理の一例を説明するためのフローチャートである。
電子番組表示装置では、ＥＰＧ（電子番組表）の表示切替指示があるかどうかを判別する（ステップＳ１）。ここでは電子番組表を表示しているときに「番組表表示切換ボタン」が押された場合に、表示切換指示があったものと判別される。
【００５７】
表示切換指示があった場合、現在時刻情報を取得する。現在時刻情報は、放送信号のストリームから取得するか、もしくは装置内蔵の時計から取得することができる。そして表示切換指示があったときに、現在表示している電子番組表が複数チャンネル表示であるかどうかを判別する（ステップＳ３）。複数チャンネル表示は、図２に示すような複数のチャンネルの番組情報（番組名）を並べて同時に表示するものである。
【００５８】
ここで現在の表示が複数チャンネルの電子番組表であれば（ステップＳ３−ＹＥＳ）、図３に示すような現在時刻（電子番組表を表示させる操作入力）より一定時間の単一チャンネルの電子番組表を表示させる（ステップＳ５）。一方、現在の表示が複数チャンネルの電子番組表でなければ（ステップＳ３−ＮＯ）、図２に示すような現在時刻より一定時間の複数チャンネルの電子番組表を表示させる（ステップＳ４）。
【００５９】
図１０は、本発明の番組表表示装置における電子番組表の表示切り替え処理の他の例を説明するためのフローチャートである。
電子番組表示装置では、ＥＰＧ（電子番組表）の表示切替指示があるかどうかを判別する（ステップＳ１１）。図９の例と同様に、電子番組表を表示しているときに「番組表表示切換ボタン」が押された場合に表示切換指示があったものと判別される。
【００６０】
表示切換指示があった場合、現在表示している電子番組表のカーソル位置と番組情報とを取得し（ステップＳ１２）、さらに現在表示している電子番組表が図２に示すような複数チャンネル表示であるかどうかを判別する（ステップＳ１３）。
【００６１】
ここで現在の表示が複数チャンネルの電子番組表であれば（ステップＳ１３−ＹＥＳ）、取得したカーソル位置の時間より一定時間の単一チャンネルの電子番組表を表示させる（ステップＳ１５）。一方、現在の表示が複数チャンネルの電子番組表でなければ（ステップＳ１３−ＮＯ）、取得したカーソル位置より一定時間の複数チャンネルの電子番組表を表示させる（ステップＳ１４）。
【図面の簡単な説明】
【００６２】
【図１】本発明による番組表表示装置を備えたデジタル放送受信機の一実施形態を示すブロック図である。
【図２】本発明による電子番組表表示装置で表示する電子番組表の表示例を示す図である。
【図３】本発明に係る電子番組表表示装置における電子番組表の表示画面の他の例を示す図である。
【図４】本発明に係る電子番組表表示装置における電子番組表の表示画面の他の例を示す図である。
【図５】電子番組表画面におけるカーソル移動時の表示制御の一例を説明するための図である。
【図６】電子番組表画面におけるカーソル移動時の表示制御の他の例を説明するための図である。
【図７】電子番組表画面におけるチャンネル変更時の表示制御の一例を説明するための図である。
【図８】電子番組表画面におけるチャンネル変更時の表示制御の他の例を説明するための図である。
【図９】本発明の番組表表示装置における電子番組表の表示切り替え処理の一例を説明するためのフローチャートである。
【図１０】本発明の番組表表示装置における表示切り換え処理の他の例を説明するためのフローチャートである。
【符号の説明】
【００６３】
１…フロントエンド、２…デマルチプレクサ、３…映像・音声デコード部、４…音声出力部、５…番組情報デコード部、６…番組表データ生成部、７…画面合成部、８…表示部、９…リモコン受光部、１０…制御部、１１…メモリ部、１００…電子番組表画面、１０１，１０２…電子番組表画面、１１０…番組表表示部、１１１…時間軸表示領域、１１２…番組枠表示領域、１１３…チャンネル番号表示領域、１１４…カーソル、１２０…番組情報表示部。
【図１】
2009077014.tif 000003
【図２】
2009077014.tif 000004
【図３】
2009077014.tif 000005
【図４】
2009077014.tif 000006
【図５】
2009077014.tif 000007
【図６】
2009077014.tif 000008
【図７】
2009077014.tif 000009
【図８】
2009077014.tif 000010
【図９】
2009077014.tif 000011
【図１０】
2009077014.tif 000012